(57)【要約】【課題】記録媒体に記録される画像の画質の劣化を抑えつつ、積載トレイに積載された記録媒体を整合させる。【解決手段】積載トレイに積載された用紙Ｐに外力を加えることによって、積載トレイに積載された用紙を整合する整合機構を備えている。そして、整合機構を制御する整合制御部は、記録ヘッドによる記録ジョブに含まれる画像データに係る複数の画像のそれぞれの記録が開始されてから完了するまでの期間において、記録ヘッドによる用紙への画像の記録が行われていない期間に積載トレイに積載された用紙を整合させる。また、記録ヘッドによる用紙への画像の記録が行われている期間に積載トレイに積載された用紙を整合させない。【選択図】図６
2014069482.tif 000002
【特許請求の範囲】
【請求項１】
記録媒体に画像を記録するための記録部と、
複数の画像に係る画像データを含む記録ジョブを記憶するための記憶部と、
前記記録部により画像が記録された記録媒体を積載するための積載トレイと、
前記記録部により画像が記録された記録媒体を前記積載トレイに搬送するための搬送機構と、
前記積載トレイに積載された記録媒体に外力を加えることで、当該積載トレイに積載された記録媒体を整合するための整合機構と、
前記記録部、前記搬送機構、及び前記整合機構を制御する制御部と
を備え、
前記制御部は、
前記記憶部に記憶された前記記録ジョブに含まれる前記画像データに係る前記複数の画像のそれぞれを、対応する複数の記録媒体に記録させるよう前記記録部を制御し、
前記記録部により前記複数の画像のそれぞれが記録された前記複数の記録媒体を、前記積載トレイに搬送させるよう前記搬送機構を制御し、
前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させるよう前記整合機構を制御し、且つ、前記記録部による記録媒体への画像の記録が行われている期間に前記積載トレイに積載された記録媒体を整合させないように前記整合機構を制御することを特徴とする画像記録装置。
【請求項２】
前記制御部は、
前記整合機構による前回の前記積載トレイに積載された記録媒体の整合が行われてから、前記搬送機構により第１所定数の記録媒体が前記積載トレイに搬送されたときに、記録媒体への画像の記録を中断して前記積載トレイに積載された記録媒体の整合が行われるように前記記録部及び前記整合機構を制御することを特徴とする請求項１に記載の画像記録装置。
【請求項３】
前記制御部は、
前記整合機構による前回の前記積載トレイに積載された記録媒体の整合が行われてから、前記搬送機構により前記第１所定数よりも大きい第２所定数の記録媒体が前記積載トレイに搬送される前に、前記記録部による前記複数の記録媒体への前記複数の画像それぞれの記録が完了する場合には、前記搬送機構により前記第１所定数の記録媒体が前記積載トレイに搬送されたときには前記積載トレイに積載された記録媒体の整合を行わずに、前記記録部による前記複数の記録媒体への前記複数の画像それぞれの記録が完了した後に前記積載トレイに積載された記録媒体の整合が行われるように前記整合機構を制御することを特徴とする請求項２に記載の画像記録装置。
【請求項４】
前記制御部は、前記記録部が所定の中断事由により記録媒体への画像の記録を中断している中断期間に、前記積載トレイに積載された記録媒体の整合が行われるように前記整合機構を制御することを特徴とする請求項１〜３のいずれか一項に記載の画像記録装置。
【請求項５】
前記記録部は、画像を記録するための液体を吐出する吐出口が形成された吐出面を有する記録ヘッドと、
前記吐出面と当接して前記記録ヘッドのメンテナンスを行うメンテナンス機構と
を備えており、
前記制御部は、
前記中断期間に前記メンテナンス機構による前記メンテナンスを行う場合には、当該メンテナンス中には前記積載トレイに積載された記録媒体の整合が行われないように前記整合機構を制御することを特徴とする請求項４に記載の画像記録装置。
【請求項６】
前記記録部は、画像を記録するための液体を吐出する吐出口が形成された吐出面を有する記録ヘッド
を備えており、
前記搬送機構は、
前記吐出面と対向する対向領域を経て、記録媒体を前記積載トレイに搬送するものであり、
前記対向領域における記録媒体のジャムを検知するジャム検知手段を備え、
前記制御部は、
前記ジャム検知手段が前記対向領域における記録媒体のジャムを検知した場合には、前記積載トレイに積載された記録媒体の整合が行われないように前記整合機構を制御することを特徴とする請求項１〜５のいずれか一項に記載の画像記録装置。
【請求項７】
前記積載トレイは、前記記録部の上方に設けられていることを特徴とする請求項１〜６のいずれか一項に記載の画像記録装置。
【請求項８】
前記記録部は、画質モードとして、通常画質モード、及び前記通常画質モードよりも高画質で記録媒体に画像を記録する高画質モードを選択可能にされており、
前記制御部は、
前記画質モードとして前記高画質印字モードが選択されている場合には、前記搬送機構が前記記録部により画像が記録された記録媒体を前記積載トレイに搬送しているときには前記積載トレイに積載された記録媒体の整合を行わずに、前記搬送機構が前記記録部により画像が記録された記録媒体を前記積載トレイに搬送していないときに前記積載トレイに積載された記録媒体の整合が行われるように前記整合機構を制御することを特徴とする請求項１〜７のいずれか一項に記載の画像記録装置。
【請求項９】
前記積載トレイに積載された記録媒体の積載数を取得する積載数取得手段を更に備えており、
前記整合機構による前回の前記積載トレイに積載された記録媒体の整合が行われたときの、前記積載数取得手段により取得された記録媒体の積載数が多いほど、前記第１所定数の値を小さくすることを特徴とする請求項２又は３に記載の画像記録装置。
【請求項１０】
前記積載トレイに積載された記録媒体の積載数を取得する積載数取得手段を更に備えており、
前記整合機構は、前記積載数取得手段により取得された前記積載数が多いほど、前記外力の大きさを大きくすることを特徴とする請求項１〜８のいずれか一項に記載の画像記録装置。
【請求項１１】
前記積載トレイは、
記録媒体が積載される、所定方向に傾斜した積載面と、
前記積載面の傾斜下端において、前記積載面に積載された記録媒体の一端を突き当てるための突き当て部材と
を備えており、
前記整合機構は、前記積載トレイを振動させることで、前記突き当て部材に突き当てられた記録媒体の一端を整合するものであることを特徴とする請求項１〜１０のいずれか一項に記載の画像記録装置。
【請求項１２】
前記整合機構は、
前記積載トレイに積載された記録媒体の対向する両縁部を規制するための互いに平行な一対の規制壁と、
前記一対の規制壁の少なくとも一方の規制壁を他方の規制壁に対して変位させて、前記一対の規制壁の間隔を変更可能な規制壁変位機構と
を備えており、
前記規制壁変位機構により、前記一対の規制壁の少なくとも一方の規制壁を他方の規制壁に対して変位させることで、前記積載トレイに積載された記録媒体の対向する両縁部を整合することを特徴とする請求項１〜１０のいずれか一項に記載の画像記録装置。
【請求項１３】
記録媒体に画像を記録するための記録部と、
複数の画像に係る画像データを含む記録ジョブを記憶するための記憶部と、
前記記録部により画像が記録された記録媒体を積載するための積載トレイと、
前記記録部により画像が記録された記録媒体を前記積載トレイに搬送するための搬送機構と、
前記積載トレイに積載された記録媒体に外力を加えることで、当該積載トレイに積載された記録媒体を整合するための整合機構とを備えた画像記録装置における記録媒体の整合方法であって、
前記記憶部に記憶された前記記録ジョブに含まれる前記画像データに係る前記複数の画像のそれぞれを、対応する複数の記録媒体に記録させ、
前記記録部により前記複数の画像のそれぞれが記録された前記複数の記録媒体を、前記積載トレイに搬送させ、
前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させ、且つ、前記記録部による記録媒体への画像の記録が行われている期間に前記積載トレイに積載された記録媒体を整合させないようにすることを特徴とする記録媒体の整合方法。
【請求項１４】
記録媒体に画像を記録するための記録部と、
複数の画像に係る画像データを含む記録ジョブを記憶するための記憶部と、
前記記録部により画像が記録された記録媒体を積載するための積載トレイと、
前記記録部により画像が記録された記録媒体を前記積載トレイに搬送するための搬送機構と、
前記積載トレイに積載された記録媒体に外力を加えることで、当該積載トレイに積載された記録媒体を整合するための整合機構とを備えた画像記録装置における記録媒体の整合プログラムであって、
前記記憶部に記憶された前記記録ジョブに含まれる前記画像データに係る前記複数の画像のそれぞれを、対応する複数の記録媒体に記録させ、
前記記録部により前記複数の画像のそれぞれが記録された前記複数の記録媒体を、前記積載トレイに搬送させ、
前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させ、且つ、前記記録部による記録媒体への画像の記録が行われている期間に前記積載トレイに積載された記録媒体を整合させない処理をコンピュータに実行させることを特徴とする記録媒体の整合プログラム。
【発明の詳細な説明】
【技術分野】
【０００１】
本発明は、画像が記録された記録媒体を積載するための積載トレイを備えた画像記録装置、並びに画像記録装置における記録媒体の整合方法及び記録媒体の整合プログラムに関する。
【背景技術】
【０００２】
従来、排紙トレイに積載された用紙に外力を加えて整合する技術が知られている。たとえば、特許文献１には、画像が形成（記録）された用紙（記録媒体）を順次排紙して排紙トレイに積載すると共に、排紙トレイ上の用紙を整合する排紙装置が開示されている。この排紙装置では、排紙トレイに積載された用紙の後端を用紙後端突き当てフェンスに突き当てている。そして、振動発生手段により用紙後端突き当てフェンスに振動波を印加することで、排紙トレイに積載された用紙の後端を整合させている。
【先行技術文献】
【特許文献】
【０００３】
【特許文献１】特開２０１２−１２６５４４号公報
【発明の概要】
【発明が解決しようとする課題】
【０００４】
ところで、記録媒体に画像を記録する記録部と画像が記録された記録媒体が排出されて積載される積載トレイとを備えた画像記録装置が知られている。この画像記録装置に特許文献１に記載された排紙装置を適用した場合、画像記録中に用紙後端突き当てフェンスに振動波を印加させると、この振動波が記録部に伝播して、記録媒体に記録される画像の画質が劣化する虞がある。
【０００５】
そこで、本発明の目的は、記録媒体に記録される画像の画質の劣化を抑えつつ、積載トレイに積載された記録媒体を整合させることが可能な画像記録装置、並びに画像記録装置における記録媒体の整合方法及び記録媒体の整合プログラムを提供することにある。
【課題を解決するための手段】
【０００６】
本発明の画像記録装置は、記録媒体に画像を記録するための記録部と、複数の画像に係る画像データを含む記録ジョブを記憶するための記憶部と、前記記録部により画像が記録された記録媒体を積載するための積載トレイと、前記記録部により画像が記録された記録媒体を前記積載トレイに搬送するための搬送機構と、前記積載トレイに積載された記録媒体に外力を加えることで、当該積載トレイに積載された記録媒体を整合するための整合機構と、前記記録部、前記搬送機構、及び前記整合機構を制御する制御部とを備えている。そして、前記制御部は、前記記憶部に記憶された前記記録ジョブに含まれる前記画像データに係る前記複数の画像のそれぞれを、対応する複数の記録媒体に記録させるよう前記記録部を制御し、前記記録部により前記複数の画像のそれぞれが記録された前記複数の記録媒体を、前記積載トレイに搬送させるよう前記搬送機構を制御し、前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させるよう前記整合機構を制御し、且つ、前記記録部による記録媒体への画像の記録が行われている期間に前記積載トレイに積載された記録媒体を整合させないように前記整合機構を制御する。
【０００７】
また、別の観点によると、本発明の記録媒体の整合方法は、記録媒体に画像を記録するための記録部と、複数の画像に係る画像データを含む記録ジョブを記憶するための記憶部と、前記記録部により画像が記録された記録媒体を積載するための積載トレイと、前記記録部により画像が記録された記録媒体を前記積載トレイに搬送するための搬送機構と、前記積載トレイに積載された記録媒体に外力を加えることで、当該積載トレイに積載された記録媒体を整合するための整合機構とを備えた画像記録装置における記録媒体の整合方法である。そして、前記記憶部に記憶された前記記録ジョブに含まれる前記画像データに係る前記複数の画像のそれぞれを、対応する複数の記録媒体に記録させ、前記記録部により前記複数の画像のそれぞれが記録された前記複数の記録媒体を、前記積載トレイに搬送させ、前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させ、且つ、前記記録部による記録媒体への画像の記録が行われている期間に前記積載トレイに積載された記録媒体を整合させないようにする。
【０００８】
さらに、別の観点によると、本発明の記録媒体の整合プログラムは、記録媒体に画像を記録するための記録部と、複数の画像に係る画像データを含む記録ジョブを記憶するための記憶部と、前記記録部により画像が記録された記録媒体を積載するための積載トレイと、前記記録部により画像が記録された記録媒体を前記積載トレイに搬送するための搬送機構と、前記積載トレイに積載された記録媒体に外力を加えることで、当該積載トレイに積載された記録媒体を整合するための整合機構とを備えた画像記録装置における記録媒体の整合プログラムである。そして、前記記憶部に記憶された前記記録ジョブに含まれる前記画像データに係る前記複数の画像のそれぞれを、対応する複数の記録媒体に記録させ、前記記録部により前記複数の画像のそれぞれが記録された前記複数の記録媒体を、前記積載トレイに搬送させ、前記記録部による前記複数の記録媒体への前記複数の画像それぞれの記録が開始されてから完了するまでの期間において、前記記録部による記録媒体への画像の記録が行われていない期間に前記積載トレイに積載された記録媒体を整合させ、且つ、前記記録部による記録媒体への画像の記録が行われている期間に前記積載トレイに積載された記録媒体を整合させない処理をコンピュータに実行させる。
【０００９】
これらの構成によると、記録部による記録媒体への画像の記録が行われている期間には、積載トレイに積載された記録媒体の整合が行われない。したがって、整合機構による整合時に発生する振動に起因して記録媒体に記録される画像の画質が劣化するのを抑えつつ、積載トレイに積載された記録媒体を整合させることができる。
【００１０】
さらに、本発明の画像記録装置では、前記制御部は、前記整合機構による前回の前記積載トレイに積載された記録媒体の整合が行われてから、前記搬送機構により第１所定数の記録媒体が前記積載トレイに搬送されたときに、記録媒体への画像の記録を中断して前記積載トレイに積載された記録媒体の整合が行われるように前記記録部及び前記整合機構を制御してもよい。
【００１１】
この構成によると、積載トレイに第１所定数の記録媒体が搬送される毎に、積載トレイに積載された記録媒体を整合することができる。
【００１２】
また、本発明の画像記録装置では、前記制御部は、前記整合機構による前回の前記積載トレイに積載された記録媒体の整合が行われてから、前記搬送機構により前記第１所定数よりも大きい第２所定数の記録媒体が前記積載トレイに搬送される前に、前記記録部による前記複数の記録媒体への前記複数の画像それぞれの記録が完了する場合には、前記搬送機構により前記第１所定数の記録媒体が前記積載トレイに搬送されたときには前記積載トレイに積載された記録媒体の整合を行わずに、前記記録部による前記複数の記録媒体への前記複数の画像それぞれの記録が完了した後に前記積載トレイに積載された記録媒体の整合が行われるように前記整合機構を制御してもよい。
【００１３】
この構成によると、積載トレイに第１所定数の記録媒体が搬送された場合でも、複数の記録媒体への複数の画像それぞれの記録が完了間近のときは、当該複数の記録媒体への画像の記録を完了させることが優先され、画像が記録された記録媒体が積載トレイに早く積載される。その結果、ユーザが、記録媒体が整合される前に積載トレイから記録媒体を回収するか、記録媒体が整合された後に積載トレイから記録媒体を回収するかを選択することができる。
【００１４】
また、本発明の画像記録装置では、前記制御部は、前記記録部が所定の中断事由により記録媒体への画像の記録を中断している中断期間に、前記積載トレイに積載された記録媒体の整合が行われるように前記整合機構を制御してもよい。
【００１５】
この構成によると、中断期間に積載トレイに積載された記録媒体の整合を行うことで、当該中断期間後において積載トレイに積載された記録媒体を整合する回数を減らす、又は整合に要する処理時間を短くすることができる。
【００１６】
加えて、本発明の画像記録装置は、前記記録部は、画像を記録するための液体を吐出する吐出口が形成された吐出面を有する記録ヘッドと、前記吐出面と当接して前記記録ヘッドのメンテナンスを行うメンテナンス機構とを備えており、前記制御部は、前記中断期間に前記メンテナンス機構による前記メンテナンスを行う場合には、当該メンテナンス中には前記積載トレイに積載された記録媒体の整合が行われないように前記整合機構を制御してもよい。
【００１７】
この構成によると、整合機構による整合時に発生する振動に起因して、メンテナンス機構と記録ヘッドの吐出面とが衝突することを防ぐことができる。
【００１８】
さらに、本発明の画像記録装置は、前記記録部は、画像を記録するための液体を吐出する吐出口が形成された吐出面を有する記録ヘッドを備えており、前記搬送機構は、前記吐出面と対向する対向領域を経て、記録媒体を前記積載トレイに搬送するものであり、前記対向領域における記録媒体のジャムを検知するジャム検知手段を備え、前記制御部は、前記ジャム検知手段が前記対向領域における記録媒体のジャムを検知した場合には、前記積載トレイに積載された記録媒体の整合が行われないように前記整合機構を制御してもよい。
【００１９】
この構成によると、整合機構による整合時に発生する振動に起因して、ジャムしている記録媒体と吐出面とが衝突することを防ぐことができる。
【００２０】
また、本発明の画像記録装置では、前記積載トレイは、前記記録部の上方に設けられていてもよい。
【００２１】
本発明では、積載トレイに積載された記録媒体を整合する時に発生する振動に起因して記録媒体に記録される画像の画質が劣化するのを抑えることができるので、上記の構成のように、記録部の上方に積載トレイを設けて画像記録装置をコンパクトにできる。
【００２２】
また、本発明の画像記録装置では、前記記録部は、画質モードとして、通常画質モード、及び前記通常画質モードよりも高画質で記録媒体に画像を記録する高画質モードを選択可能にされており、前記制御部は、前記画質モードとして前記高画質印字モードが選択されている場合には、前記搬送機構が前記記録部により画像が記録された記録媒体を前記積載トレイに搬送しているときには前記積載トレイに積載された記録媒体の整合を行わずに、前記搬送機構が前記記録部により画像が記録された記録媒体を前記積載トレイに搬送していないときに前記積載トレイに積載された記録媒体の整合が行われるように前記整合機構を制御してもよい。
【００２３】
この構成によると、高画質印字モードにおいて、搬送機構により搬送されている記録媒体の画像記録面が搬送機構の各部に接触することで、記録媒体に記録された画像の品質が劣化するのを防ぐことができる。
【００２４】
また、本発明の画像記録装置は、前記積載トレイに積載された記録媒体の積載数を取得する積載数取得手段を更に備えており、前記整合機構による前回の前記積載トレイに積載された記録媒体の整合が行われたときの、前記積載数取得手段により取得された記録媒体の積載数が多いほど、前記第１所定数の値を小さくしてもよい。
【００２５】
この構成によると、積載トレイに積載された記録媒体の積載数が多くなるにつれて、記録媒体を整合する間隔を短くすることで、積載トレイに積載された記録媒体の積載数が多くなったとしても、記録媒体を確実に整合することができる。
【００２６】
さらに、本発明の画像記録装置は、前記積載トレイに積載された記録媒体の積載数を取得する積載数取得手段を更に備えており、前記整合機構は、前記積載数取得手段により取得された前記積載数が多いほど、前記外力の大きさを大きくしてもよい。
【００２７】
この構成によると、積載トレイに積載された記録媒体の積載数が多くなったとしても、記録媒体を確実に整合することができる。
【００２８】
加えて、本発明の画像記録装置では、前記積載トレイは、記録媒体が積載される、所定方向に傾斜した積載面と、前記積載面の傾斜下端において、前記積載面に積載された記録媒体の一端を突き当てるための突き当て部材とを備えており、前記整合機構は、前記積載トレイを振動させることで、前記突き当て部材に突き当てられた記録媒体の一端を整合するものであってもよい。
【００２９】
この構成によると、積載トレイに積載された記録媒体の一端を整合することができる。
【００３０】
さらに、本発明の画像記録装置では、前記整合機構は、前記積載トレイに積載された記録媒体の対向する両縁部を規制するための互いに平行な一対の規制壁と、前記一対の規制壁の少なくとも一方の規制壁を他方の規制壁に対して変位させて、前記一対の規制壁の間隔を変更可能な規制壁変位機構とを備えており、前記規制壁変位機構により、前記一対の規制壁の少なくとも一方の規制壁を他方の規制壁に対して変位させることで、前記積載トレイに積載された記録媒体の対向する両縁部を整合してもよい。
【００３１】
この構成によると、積載トレイに積載された記録媒体の対向する両縁部を整合することができる。
【発明の効果】
【００３２】
上述のように、本発明の画像記録装置、並びに画像記録装置における記録媒体の整合方法及び記録媒体の整合プログラムでは、記録部による記録媒体への画像の記録が行われている期間には、積載トレイに積載された記録媒体の整合が行われない。したがって、整合機構による整合時に発生する振動に起因して記録媒体に記録される画像の画質が劣化するのを抑えつつ、積載トレイに積載された記録媒体を整合させることができる。
【図面の簡単な説明】
【００３３】
【図１】本発明の実施形態に係るプリンタの全体的な構成を示す概略側面図である。
【図２】図１に示すプリンタの上面図である。
【図３】図１に示すプリンタの要部の上面図である。
【図４】図１に示す制御部の機能ブロック図である。
【図５】図４に示す第１所定数決定部が有するテーブルである。
【図６】図１に示す制御部で行われる処理手順の一例を示すフローチャートである。
【図７】本発明の変形例に係るプリンタの全体的な構成を示す概略側面図である。
【発明を実施するための形態】
【００３４】
以下、本発明の好適な一実施の形態について、図面を参照しつつ説明する。
【００３５】
図１に示すように、本実施形態のプリンタ１０１は、略直方体形状の筐体１０１ａを有し、筐体１０１ａ内には、上方から下方に４つの記録ヘッド１、用紙Ｐを搬送方向（図１中左方から右方に向かう方向）に搬送する搬送機構１６、用紙Ｐを給紙する給紙ユニット１７、及びインクを貯留するタンクユニット１８が配設されている。さらに、記録ヘッド１の上方であって筐体１０１ａの天板上部には、用紙Ｐが排出される排紙部１０が設けられている。また、筐体１０１ａ内には、プリンタ１０１全体の動作を司る制御部１００が配置されている。
【００３６】
４つの記録ヘッド１は、シアン、マゼンタ、イエロー、ブラックのインクをそれぞれ吐出する。また、いずれも主走査方向に長尺な略直方体形状を有しており、用紙Ｐの搬送方向に沿って配列されて支持枠３に固定されている。つまり、このプリンタ１０１はライン式のプリンタであり、主走査方向は搬送方向に直交する方向である。各記録ヘッド１は、その下面に複数の吐出口（図示せず）が開口した吐出面２ａが形成されたヘッド本体２を有している。
【００３７】
搬送機構１６は、２つのベルトローラ６、７と、搬送ベルト８と、テンションローラ９と、プラテン１９とを有している。搬送ベルト８は、両ローラ６、７の間に巻回されたエンドレスのベルトであり、テンションローラ９によってテンションが付加されている。プラテン１９は、搬送ベルト８の内側領域に配置され、記録ヘッド１と対向する位置において搬送ベルト８を支持している。ベルトローラ７は図示しないモータによって回転駆動される駆動ローラである。これにより、搬送機構１６は、ベルトローラ７を駆動して搬送ベルト８を走行させ、搬送ベルト８の搬送面８ａ上に載置された用紙Ｐを搬送することができる。また、搬送機構１６には、搬送経路における用紙Ｐの存在を検知するための用紙検知センサ１５が設けられている。この用紙検知センサ１５については、主な用途としては搬送機構１６によって搬送される用紙Ｐの搬送方向下流側の先端を検知して、記録ヘッド１によりインクを吐出するタイミングを取るためのものであるが、用紙Ｐの搬送方向下流側の先端を検知してから用紙Ｐの搬送方向上流側の後端が通過するまでの時間（以後、通過時間という）を所定時間と比較することで、記録ヘッド１の吐出面２ａとの対向領域において、用紙Ｐのジャムを検知することができる。つまり、通過時間がこの所定時間より長い場合は、用紙Ｐのジャムが発生したと判断するのである。
【００３８】
給紙ユニット１７は、筐体１０１ａに対して着脱可能に配置されており、複数枚の用紙Ｐを収納する給紙トレイ１７ａと、給紙トレイ１７ａの最も上方にある用紙Ｐを送り出す給紙ローラ１７ｂとを有している。給紙トレイ１７ａから送り出された用紙Ｐは、ガイド１３ａ、１３ｂに沿って送りローラ対１４により搬送機構１６へと送られる。
【００３９】
タンクユニット１８は、内部に４つのインクタンク１８ａを収納している。インクタンク１８ａは、タンクユニット１８に対して着脱可能に装着されている。各インクタンク１８ａには、シアン、マゼンタ、イエロー、及びブラックのインクがそれぞれ貯留されており、対応する記録ヘッド１にインクチューブ（不図示）を介してインクが供給される。
【００４０】
プリンタ１０１の内部には、図１に示すように、黒矢印に沿う搬送経路が形成されている。下方の給紙ユニット１７から搬送機構１６へと送られた用紙Ｐは、押えローラ４によって搬送面８ａに押さえつけられる。そして、用紙Ｐが各記録ヘッド１の吐出面２ａと対向する対向領域を通過する際に、用紙Ｐの上面に所望のカラー画像が形成される。画像が形成された用紙Ｐは、搬送機構１６のすぐ下流側に配置された剥離部材５によって搬送面８ａから剥離される。さらに、用紙Ｐは、ガイド２９ａ、２９ｂに沿って送りローラ対２８より上方に搬送され、筐体１０１ａの上部に形成された排出口２２から排紙部１０へと排出される。
【００４１】
排紙部１０は、排出口２２から排出された用紙Ｐが積載される積載トレイ１１と、積載トレイ１１に積載された用紙Ｐを整合する整合機構３０とを有している。積載トレイ１１には、積載トレイ１１に積載された用紙Ｐの積載数を取得する光センサである積載数取得センサ１２が設けられている。
【００４２】
整合機構３０は、図２に示すように、積載トレイ１１上に配置された互いに平行な一対の規制壁３１ａ、３１ｂと、一対の規制壁３１ａ、３１ｂのうち、図２において左方に位置する規制壁３１ａを右方に位置する規制壁３１ｂに対して変位させる規制壁変位機構３３とを備えている。規制壁３１ａ、３１ｂは、排出口２２からの用紙Ｐの排出方向（図２中白矢印で示す方向）に沿って延びる板状の部材であり、積載トレイ１１に積載された用紙Ｐの幅方向両縁部を規制する。積載トレイ１１上における図２中左側には、用紙Ｐの幅方向に沿って延びるガイド溝１１ａが形成されており、規制壁３１ａの下端部を支持する支持部３２はガイド溝１１ａ内に嵌め込まれている。
【００４３】
規制壁変位機構３３は、用紙Ｐの幅方向に離隔した一対のプーリ３５ａ、３５ｂと、プーリ３５ａ、３５ｂに架け渡された駆動ベルト３７と、プーリ３５ｂを回転駆動するモータ３９とを有している。規制壁３１ａを支持する支持部３２は駆動ベルト３７を挟持しており、規制壁３１ａが駆動ベルト３７と共に移動するようになっている。よって、モータ３９により駆動ベルト３７を走行させることで、規制壁３１ａはガイド溝１１ａに沿って用紙Ｐの幅方向に移動する。すなわち、モータ３９の回転方向を切り換えることで、規制壁３１ａを規制壁３１ｂに近づく方向又は遠ざかる方向に移動させ、規制壁３１ａ、３１ｂの間隔を変更することができる。したがって、図２において黒矢印で示すように、規制壁３１ａを規制壁３１ｂに近づけ、積載トレイ１１に積載された用紙Ｐの図２中右側の縁が規制壁３１ｂに押し付けられるように用紙Ｐに外力を加え、用紙Ｐを整合させることができる。
【００４４】
また、プリンタ１０１は、記録ヘッド１のメンテナンスを行うメンテナンス機構４０を備えている。図３に示すように、メンテナンス機構４０は、メンテナンスが行われていないときは、主走査方向に関する記録ヘッド１の側方（図３における左側）に配置されている。メンテナンス機構４０は、キャップユニット４１とワイピングユニット４５とを備えている。      
【００４５】
キャップユニット４１は、主走査方向に移動可能な基板４３に取り付けられており、基板４３が記録ヘッド１と対向する位置まで移動したとき、対応する記録ヘッド１とそれぞれ対向する４つのパージキャップ４２を備えている。４つのパージキャップ４２は、記録ヘッド１と対向した状態で、図示しない昇降機構により記録ヘッド１を降下させることで、対応する記録ヘッド１の吐出面２ａをそれぞれ覆うことができるようになっている。そして、記録ヘッド１の吐出面２ａがパージキャップ４２に覆われた状態で、各記録ヘッド１とインクタンク１８ａとの途中経路に設けられた図示しない加圧ポンプを駆動することにより、記録ヘッド１の吐出口から記録ヘッド１内の増粘したインクや異物を強制的に排出する加圧パージが行われる。また、各パージキャップ４２には、図示しない廃液タンクが接続されており、排出されたインクなどは廃液タンクに貯留される。
【００４６】
ワイピングユニット４５は、図３においてキャップユニット４１の右側に配置されており、主走査方向に移動可能な基板４７に取り付けられたワイパ４６を備えている。ワイパ４６が記録ヘッド１と対向する位置にある状態で、図示しない昇降機構により記録ヘッド１を降下させると、ワイパ４６の先端部が記録ヘッド１の吐出面２ａと接触する。そして、この状態で、基板４７を主走査方向に移動させると、ワイパ４６により吐出面２ａが払拭される。メンテナンス機構４０は、加圧パージが行われた後にワイパ４６による吐出面２ａのワイピングを行う。
【００４７】
制御部１００は、ＣＰＵ（Central Processing Unit）、ＣＰＵが実行するプログラム及びこれらプログラムに使用されるデータを書き替え可能に記憶するＥＥＰＲＯＭ（Electrically Erasable and Programmable Read Only Memory）、及びプログラム実行時にデータを一時的に記憶するＲＡＭ（Random Access Memory）を含んでいる。本発明の制御プログラムは、ＣＰＵで実行されることにより、図４に示す制御部１００を構成する各機能部を実現する。
【００４８】
図４に示すように、制御部１００は、記憶部５１、カウント部５２、ヘッド制御部５３、搬送制御部５４、整合制御部５５、及び第１所定数決定部５６を有している。
【００４９】
記憶部５１は、複数の画像に係る画像データを含む記録ジョブを記憶する。係る記録ジョブは、プリンタ１０１と接続されているＰＣ（Personal Computer）等から記憶部５１に転送される。カウント部５２は、整合機構３０による前回の積載トレイ１１に積載された用紙Ｐの整合が行われてから、画像の記録が完了し搬送機構１６により積載トレイ１１に搬送された用紙Ｐの枚数である記録完了枚数Ｎをカウントする。
【００５０】
ヘッド制御部５３は、記憶部５１に記憶された記録ジョブに含まれる複数の画像データに係る複数の画像（以下の説明において、１つの記録ジョブに含まれる複数の画像データに係る複数の画像を単に「複数の画像」と称する）のそれぞれを、対応する複数の用紙Ｐに記録させるように記録ヘッド１を制御する。また、ヘッド制御部５３は、画像モードとして、通常画質モードと通常画質モードよりも高画質で用紙Ｐに画像を記録する高画質モードとを選択可能にしている。さらに、ヘッド制御部５３は、カウント部５２によりカウントされた記録完了枚数Ｎが第１所定数決定部５６で決定された第１所定数に達したとき、用紙Ｐへの画像の記録を中断する。ただし、整合機構３０による前回の用紙Ｐの整合が行われてから、搬送機構１６により第１所定数よりも大きい第２所定数の用紙Ｐが積載トレイ１１に搬送される前に、ヘッド制御部５３による複数の画像の記録が完了する場合には、記録完了枚数Ｎが第１所定数に達したときも、用紙Ｐへの画像の記録を中断しない。搬送制御部５４は、記録ヘッド１により複数の画像のそれぞれが記憶された複数の用紙Ｐを、積載トレイ１１に搬送させるように搬送機構１６を制御する。
【００５１】
整合制御部５５は、記録ヘッド１による複数の用紙Ｐへの複数の画像のそれぞれの記録が開始されてから完了するまでの期間において、記録ヘッド１による用紙Ｐへの記録が行われていない期間に積載トレイ１１に積載された用紙Ｐを整合させるように整合機構３０を制御し、且つ、記録ヘッド１による用紙Ｐへの画像の記録が行われている期間に積載トレイ１１に積載された用紙Ｐを整合させないように整合機構３０を制御する。
【００５２】
また、整合制御部５５は、カウント部５２によりカウントされた記録完了枚数Ｎが第１所定数決定部で決定された第１所定数に達したとき、積載トレイ１１に積載された用紙Ｐの整合を行う。ただし、整合機構３０による前回の用紙Ｐの整合が行われてから、搬送機構１６により第１所定数よりも大きい第２所定数の用紙Ｐが積載トレイ１１に搬送される前に、記録ヘッド１による複数の用紙Ｐへの複数の画像それぞれの記録が完了する場合には、記録完了枚数Ｎが第１所定数に達したときも用紙Ｐの整合を行わない。そして、記録ヘッド１による複数の用紙Ｐへの複数の画像それぞれの記録が完了した後に用紙Ｐの整合を行う。なお、実施形態においては、第２所定数は第１所定数に５を加えた数とする。
【００５３】
加えて整合制御部５５は、記録ヘッド１が第１のイベントにより用紙Ｐへの画像の記録を中断している中断期間には、用紙Ｐの整合が行われないように、第２のイベントにより用紙Ｐへの画像の記録を中断している中断期間には、用紙Ｐの整合が行われるようにする。ここで、本実施形態における第１のイベントとは、記録ヘッド１のインク吐出性能が低下し、メンテナンス機構４０による記録ヘッド１のメンテナンスを行う必要が生じた場合、及び用紙検知センサ１５によって記録ヘッド１の吐出面２ａとの対向領域における用紙Ｐのジャムが検知された場合である。また、第２のイベントは、第１のイベント以外の記録の中断事由であり、例えば用紙切れやインク切れが生じた場合、記録済み用紙Ｐの乾燥が必要な場合、積載トレイ１１に積載された用紙Ｐの枚数が所定枚数に達し満載となった場合等である。
【００５４】
また整合制御部５５は、画質モードとして高画質印字モードが選択されている場合には、搬送機構１６が記録ヘッド１により画像が記録された用紙Ｐを積載トレイ１１に搬送しているときには用紙Ｐの整合を行わずに、搬送機構１６が記録ヘッド１により画像が記録された用紙Ｐを積載トレイ１１に搬送していないときに用紙Ｐの整合が行われるようにする。
【００５５】
第１所定数決定部５６は、整合機構３０による前回の積載トレイ１１に積載された用紙Ｐの整合が行われたときの、積載数取得センサ１２によって取得された積載トレイ１１に積載された用紙Ｐの積載数に基づいて第１所定数を決定する。すなわち、第１所定数決定部５６は、第１所定数と積載トレイ１１に積載されている用紙Ｐの積載数とが関連付けられた図５に示すようなテーブルを有している。図５に示すように、積載トレイ１１に積載されている用紙Ｐの枚数が多いほど、第１所定数は小さく定められる。
【００５６】
続いて、図６を参照しつつ、プリンタ１０１で１つの記録ジョブに含まれる複数の画像データに係る複数の画像のそれぞれを対応する複数の用紙Ｐに記録する際に制御部１００で行われる処理手順の一例について説明する。なお、処理開始時においては、図５に示すテーブルに基づき第１所定数は５０に設定されている。
【００５７】
まず、ヘッド制御部５３により記録ヘッド１を制御し、通常画質モード又は高画質モードで、記憶部５１に記憶された複数の画像データに係る複数の画像のうちの１つの画像の用紙Ｐへの記録が開始される（ステップＳ１）。続いて、整合制御部５５により、第１のイベントが発生したか否かが判断される（ステップＳ２）。
【００５８】
第１のイベントが発生した場合には（ステップＳ２：ＹＥＳ）、記録ヘッド１による画像の記録が中断される（ステップＳ３）。そして、メンテナンス機構４０による記録ヘッド１のメンテナンス、又はユーザによる詰まった用紙Ｐの除去作業のイベントの処理が行われる（ステップＳ４）。続いてイベントが解決したか否かが判断され（ステップＳ５）、イベントが解決した場合には（ステップＳ５：ＹＥＳ）、上述のステップＳ１に戻り、記録ヘッド１による画像の記録が再開される。また、イベントが解決していな場合には（ステップＳ５：ＮＯ）、エラーで終了とする。
【００５９】
一方、第１のイベントが発生していない場合には（ステップＳ２：ＮＯ）、続いて、第２のイベントが発生したか否かが判断される（ステップＳ６）。第２のイベントが発生した場合には（ステップＳ６：ＹＥＳ）、記録ヘッド１による画像の記録が中断される（ステップＳ７）。そして、ユーザによる用紙やインクの補充作業等のイベントの処理が行われるのと同時に、整合制御部５５により整合機構３０が制御され、積載トレイ１１に積載された用紙Ｐの整合が行われる（ステップＳ８）。続いてイベントが解決したか否かが判断され（ステップＳ９）、イベントが解決した場合には（ステップＳ９：ＹＥＳ）、記録完了枚数がリセットされＮ＝０となる（ステップＳ１０）。その後、上述のステップＳ１に戻り、記録ヘッド１による画像の記録が再開される。また、イベントが解決していな場合には（ステップＳ９：ＮＯ）、エラーで終了とする。
【００６０】
ステップＳ６での判断で、第２のイベントが発生していない場合には（ステップＳ６：ＮＯ）、１枚の用紙Ｐへの画像の記録が完了したか否かが判断される（ステップＳ１１）。１枚の用紙Ｐへの画像の記録が完了していない場合には（ステップＳ１１：ＮＯ）、上述のステップＳ１に戻り、記録ヘッド１による画像の記録が継続して行われる。また、１枚の用紙Ｐへの画像の記録が完了した場合には（ステップＳ１１：ＹＥＳ）、ヘッド制御部５３により選択されている画質モードが高画質モードであるか否かが判断される（ステップＳ１２）。
【００６１】
高画質モードでない場合には（ステップＳ１２：ＮＯ）、後述するステップＳ１３を省略し、ステップＳ１４に進む。一方、高画質モードである場合には（ステップＳ１２：ＹＥＳ）、画像の記録が完了した用紙Ｐが積載トレイ１１に排出され、積載トレイ１１への搬送が完了しているか否かが判断される（ステップＳ１３）。ステップＳ１３での判断は、積載トレイ１１への搬送が完了するまで繰り返し行われる。すなわち、積載トレイ１１への搬送か完了するまでは次のステップＳ１４に進むことができないようになっている。
【００６２】
続いて、カウント部５２によって記録完了枚数Ｎが１つ増加される（ステップＳ１４）。さらに、１つの記録ジョブに含まれる複数の画像データに係る全て画像が記録されたか否かが判断される（ステップＳ１５）。全ての画像の記録が完了していない場合には（ステップＳ１５：ＮＯ）、記録完了枚数Ｎが第１所定数であるか否かが判断される（ステップＳ１６）。記録完了枚数Ｎが第１所定数でない場合には（ステップＳ１６：ＮＯ）、上述のステップＳ１に戻り、記録ヘッド１によって次の画像の記録が開始される。
【００６３】
一方、記録完了枚数Ｎが第１所定数である場合には（ステップＳ１６：ＹＥＳ）、記録完了枚数Ｎ（すなわち第１所定数）に記憶部５１に記憶されている１つの記録ジョブに含まれる複数の画像データに係る複数の画像のうち未だ記録が行われていない残り画像の枚数を加えた数が、第２所定数よりも小さいか否かが判断される（ステップＳ１７）。第１所定数に残り画像の枚数を加えた数が第２所定数よりも小さい場合、すなわち、前回の用紙Ｐの整合が行われてから第２所定数の用紙Ｐが積載トレイ１１に搬送される前に、１記録ジョブに係る全ての画像の記録が完了する場合には（ステップＳ１７：ＹＥＳ）、上述のステップＳ１に戻り、記録ヘッド１によって次の画像の記録が開始される。
【００６４】
また、ステップＳ１７での判断で、第１所定数に残り画像の枚数を加えた数が第２所定数以上である場合には（ステップＳ１７：ＮＯ）、整合制御部５５により整合機構３０が制御され、積載トレイ１１に積載された用紙Ｐの整合が行われる（ステップＳ１８）。なお、このとき記録ヘッド１による画像の記録は行われない。さらに、第１所定数決定部５６は、積載数取得センサ１２で取得された積載トレイ１１に積載された用紙Ｐの積載数、及び図５に示すテーブルに基づき、第１所定数を決定する（ステップＳ１９）。その後、記録完了枚数ＮがリセットされＮ＝０となる（ステップＳ１０）
【００６５】
また、ステップＳ１５での判断で、全ての画像の記録が完了している場合には（ステップＳ１５：ＹＥＳ）、記録完了枚数Ｎが第１所定数以上であるか否かが判断される（ステップＳ２０）。記録完了枚数Ｎが第１所定数以上である場合には（ステップＳ２０：ＹＥＳ）、整合制御部５５により整合機構３０が制御され、積載トレイ１１に積載された用紙Ｐの整合が行われ（ステップＳ２１）、その後処理を終了する。一方、記録完了枚数Ｎが第１所定数よりも小さい場合には（ステップＳ２０：ＮＯ）、上述のステップＳ２１を省略して処理を終了する。
【００６６】
以上のように、本実施形態のプリンタ１０１は、積載トレイ１１に積載された用紙Ｐに外力を加えることによって、積載トレイ１１に積載された用紙Ｐを整合する整合機構３０を備えている。そして、整合機構３０を制御する整合制御部５５は、記録ヘッド１による記録ジョブに含まれる画像データに係る複数の画像のそれぞれの記録が開始されてから完了するまでの期間において、記録ヘッド１による用紙Ｐへの画像の記録が行われていない期間に積載トレイ１１に積載された用紙Ｐを整合させ、且つ、記録ヘッド１による用紙Ｐへの画像の記録が行われている期間に積載トレイ１１に積載された用紙Ｐを整合させない。したがって、整合機構３０による整合時に発生する振動に起因して用紙Ｐに記録される画像の画質が劣化するのを抑えつつ、積載トレイ１１に積載された用紙Ｐを整合させることができる。
【００６７】
また、本実施形態のプリンタ１０１では、整合機構３０による前回の積載トレイ１１に積載された用紙Ｐの整合が行われてから、搬送機構１６により第１所定数の用紙Ｐが積載トレイ１１に搬送されたときに、用紙Ｐへの画像の記録を中断して積載トレイ１１に積載された用紙Ｐの整合を行う。したがって、積載トレイ１１に第１所定数の用紙Ｐが搬送される毎に、積載トレイ１１に積載された用紙Ｐを整合することができる。
【００６８】
さらに、本実施形態のプリンタ１０１では、整合機構３０による前回の積載トレイ１１に積載された用紙Ｐの整合が行われてから、搬送機構１６により第１所定数よりも大きい第２所定数の用紙Ｐが積載トレイ１１に搬送される前に、記録ヘッド１による複数の用紙Ｐへの複数の画像それぞれの記録が完了する場合には、搬送機構１６により第１所定数の用紙Ｐが積載トレイ１１に搬送されたときには積載トレイ１１に積載された用紙Ｐの整合を行わずに、記録ヘッド１による複数の用紙Ｐへの複数の画像それぞれの記録が完了した後に積載トレイ１１に積載された用紙Ｐの整合を行う。したがって、積載トレイ１１に第１所定数の用紙Ｐが搬送された場合でも、複数の用紙Ｐへの複数の画像それぞれの記録が完了間近のときは、この複数の用紙Ｐへの画像の記録を完了させることが優先され、画像が記録された用紙Ｐが積載トレイ１１に早く積載される。その結果、ユーザが、用紙Ｐが整合される前に積載トレイ１１から用紙Ｐを回収するか、用紙Ｐが整合された後に積載トレイ１１から用紙Ｐを回収するかを選択することができる。
【００６９】
加えて、本実施形態のプリンタ１０１では、記録ヘッド１が第２のイベントにより用紙Ｐへの画像の記録を中断している中断期間に、積載トレイ１１に積載された用紙Ｐの整合が行われる。したがって、中断期間に積載トレイ１１に積載された用紙Ｐの整合を行うことで、当該中断期間後において積載トレイ１１に積載された用紙Ｐを整合する回数を減らす、又は整合に要する処理時間を短くすることができる。
【００７０】
さらに、本実施形態のプリンタ１０１では、メンテナンス機構４０による記録ヘッド１のメンテナンスを行う場合には、当該メンテナンス中に積載トレイ１１に積載された用紙Ｐの整合を行わない。したがって、整合機構３０による整合時に発生する振動に起因して、メンテナンス機構４０と記録ヘッド１の吐出面２ａとが衝突などすることにより装置が故障することを防ぐことができる。
【００７１】
また、本実施形態のプリンタ１０１では、用紙検知センサ１５が記録ヘッド１の吐出面２ａと対向する対向領域における用紙Ｐのジャムを検知した場合には、積載トレイ１１に積載された用紙Ｐの整合を行わない。したがって、整合機構３０による整合時に発生する振動に起因して、ジャムしている用紙Ｐと吐出面２ａとが衝突をすることを防ぐことができる。
【００７２】
また、本実施形態のプリンタ１０１では、積載トレイ１１は、記録ヘッド１の上方に設けられている。本発明では、積載トレイ１１に積載された用紙Ｐを整合する時に発生する振動に起因して用紙Ｐに記録される画像の画質が劣化するのを抑えることができるので、上記の構成のように、記録ヘッド１の上方に積載トレイ１１を設けてプリンタ１０１をコンパクトにできる。
【００７３】
さらに、本実施形態のプリンタ１０１では、画質モードとして高画質印字モードが選択されている場合には、搬送機構１６が記録ヘッド１により画像が記録された用紙Ｐを積載トレイ１１に搬送しているときには用紙Ｐの整合を行わずに、搬送機構１６が記録ヘッド１により画像が記録された用紙Ｐを積載トレイ１１に搬送していないときに用紙Ｐの整合が行われる。したがって、高画質印字モードにおいて、搬送機構１６により搬送されている用紙Ｐの画像記録面が搬送機構１６の各部に接触することで、用紙Ｐに記録された画像の品質が劣化するのを防ぐことができる。
【００７４】
加えて、本実施形態のプリンタ１０１では、整合機構３０による前回の積載トレイ１１に積載された用紙Ｐの整合が行われたときの、積載数取得センサ１２により取得された用紙Ｐの積載数が多いほど、第１所定数の値を小さくする。したがって、積載トレイ１１に積載された用紙Ｐの積載数が多くなるにつれて、用紙Ｐを整合する間隔を短くすることで、積載トレイ１１に積載された用紙Ｐの積載数が多くなったとしても、用紙Ｐを確実に整合することができる。
【００７５】
加えて、本実施形態のプリンタ１０１では、整合機構３０は、積載トレイ１１に積載された用紙Ｐの対向する両縁部を規制するための互いに平行な一対の規制壁３１ａ、３１ｂと、規制壁３１ａを規制壁３１ｂに対して変位させて、一対の規制壁３１ａ、３１ｂの間隔を変更可能な規制壁変位機構３３とを備えている。そして、規制壁変位機構３３により、規制壁３１ａを規制壁３１ｂに対して変位させることで、積載トレイ１１に積載された用紙Ｐの幅方向の両縁部を整合する。したがって、積載トレイ１１に積載された用紙Ｐの対向する両縁部を整合することができる。
【００７６】
以上、本発明の好適な一実施形態について説明したが、本発明は上述の実施の形態に限られるものではなく、特許請求の範囲に記載した限りにおいて、様々な設計変更を行うことが可能なものである。
【００７７】
例えば、上述の実施形態では、整合機構３０は、互いに平行な一対の規制壁３１ａ、３１ｂと、規制壁３１ａを規制壁３１ｂに対して変位させて、一対の規制壁３１ａ、３１ｂの間隔を変更可能な規制壁変位機構３３とを備えている場合について説明したが、これには限定されない。すなわち、規制壁変位機構３３は、両規制壁３１ａ、３１ｂを変位可能であってもよい。
【００７８】
また、上述の実施形態の変形例に係る図７に示すプリンタ２０１では、筐体２０１ａの側壁に排出口２２２形成されており、筐体１０１ａの側方に排出口２２２から排出され用紙Ｐが積載される積載トレイ２１１が取り付けられている。積載トレイ２１１の積載面２１１ａは、排出口２２２側端部が傾斜下端となるように、排出口２２２からの用紙Ｐの排出方向に関して傾斜している。したがって、積載トレイ２１１の排出口２２２側の側壁は、積載トレイ２１１に積載された用紙Ｐの一端が突き当てられる突き当て部材２１１ｂとなっている。本変形例において積載トレイ２１１に積載された用紙Ｐを整合する整合機構２３０は、積載トレイ２１１を振動させる例えば振動モータ等の振動手段である。整合機構２３０により積載トレイ２１１を振動させることで用紙Ｐに外力を加え、突き当て部材２１１ｂに突き当てられた用紙Ｐの一端を整合することができる。
【００７９】
また、上述の実施形態では、前回の用紙Ｐの整合が行われてから第１所定数の用紙Ｐが積載トレイ１１に搬送されたときに、用紙Ｐへの画像の記録を中断して積載トレイ１１に積載された用紙Ｐの整合を行う。そして、前回の用紙Ｐの整合が行われてから第１所定数よりも大きい第２所定数の用紙Ｐが積載トレイ１１に搬送される前に、複数の画像それぞれの記録が完了する場合には、第１所定数の用紙Ｐが積載トレイ１１に搬送されたときには用紙Ｐの整合を行わずに、複数の画像それぞれの記録が完了した後に用紙Ｐの整合を行う場合について説明したが、これには限定されない。すなわち、複数の画像それぞれの記録が完了間近であっても、積載トレイ１１に第１所定数の用紙Ｐが搬送される毎に用紙Ｐの整合を行うようにしてもよいし、積載トレイ１１に第１所定数の用紙Ｐが搬送される毎の用紙Ｐの整合を行わなくてもよい。
【００８０】
さらに、上述の実施形態では、第２所定数は第１所定数に５を加えた数とする場合について説明したが、これには限定されない。すなわち、第２所定数は第１所定数に５以外の定数を加えた数であってもよい。また例えば、第１所定数に第１所定数の１割を加えた数としてもよい。
【００８１】
また、上述の実施形態では、用紙切れやインク切れ等の第２のイベントにより記録ヘッド１が用紙Ｐへの画像の記録を中断している中断期間に、用紙Ｐの整合が行われる場合について説明したが、第２のイベント発生時に用紙Ｐの整合を行わないようにしてもよい。
【００８２】
加えて、上述の実施形態では、記録ヘッド１のメンテナンスが必要となった場合、及びジャムが発生した場合の第１のイベントにより記録ヘッド１が用紙Ｐへの画像の記録を中断している中断期間は、用紙Ｐの整合が行われない場合について説明したが、第１のイベント発生時に用紙Ｐの整合を行ってもよい。
【００８３】
さらに、上述の実施形態では、積載トレイ１１が筐体１０１ａの天板上部に設けられている場合について説明したが、これには限定されない。すなわち、上述の図７に示す変形例に係るプリンタ２０１のように、筐体２０１ａの側方に積載トレイ２１１が配置されていてもよい。
【００８４】
また、上述の実施形態では、画質モードとして高画質印字モードが選択されている場合には、画像が記録された用紙Ｐを積載トレイ１１に搬送しているときには用紙Ｐの整合を行わずに、画像が記録された用紙Ｐを積載トレイ１１に搬送していないときに用紙Ｐの整合が行われる場合について説明したが、用紙Ｐの整合タイミングは画質モードと無関係であってもよい。
【００８５】
また、上述の実施形態では、前回の用紙Ｐの整合が行われたときの、積載トレイ１１に積載された用紙Ｐの積載数が多いほど、第１所定数の値を小さくする場合について説明したが、これには限定されない。例えば、第１の所定数は固定とし、積載トレイ１１に積載された用紙Ｐの積載数が多いほど、整合機構３０によって用紙Ｐに加える外力を大きくしてもよい。さらに、積載トレイ１１に積載された用紙Ｐの積載数に無関係に制御されてもよい。
【００８６】
加えて、上述の実施形態では、光センサである積載数取得センサ１２によって積載トレイ１１に積載された用紙Ｐの積載数を取得する場合について説明したが、これには限定されない。すなわち、積載トレイ１１に積載された用紙Ｐの重さを検知するセンサを用いて積載数を取得してもよい。また、制御部１００に、積載トレイ１１に搬送された用紙Ｐの累積枚数をカウントするカウンタを設け、ソフト的に積載トレイ１１に積載された用紙Ｐの積載数を取得してもよい。
【００８７】
また、上述の実施形態では、衝突や振動による機械的外力により積載された用紙Ｐの整合を行うものであるが、積載された用紙Ｐに空気や圧力等の外力を付加して整合する構成であってもよい。
【００８８】
また、上述の実施形態において、制御部１００は、単一のＣＰＵにより構成されていてもよいし、複数のＣＰＵ、あるいは特定のＡＳＩＣ（application specific integrated circuit）、ＣＰＵと特定のＡＳＩＣの組み合わせにより構成されていてもよい。
【符号の説明】
【００８９】
１  記録ヘッド（記録部）
２ａ  吐出面
１１、２１１  積載トレイ
１２  積載数取得センサ（積載数取得手段）
１５  用紙検知センサ（ジャム検知手段）
１６  搬送機構
３０、２３０  整合機構
３１ａ、３１ｂ  規制壁
３３  規制壁変位機構
４０  メンテナンス機構
５１  記憶部
１００  制御部
２１１ａ  積載面
２１１ｂ  突き当て部材
【図１】
2014069482.tif 000003
【図２】
2014069482.tif 000004
【図３】
2014069482.tif 000005
【図４】
2014069482.tif 000006
【図５】
2014069482.tif 000007
【図６】
2014069482.tif 000008
【図７】
2014069482.tif 000009